(57)【要約】      （修正有）【課題】装飾性に富んでいて見栄えがよく、しかも、吸音性能に優れていて、オフィスビルのホール、コンサートホール、公共施設、学校、病院、図書館等の静粛が要請される施設の壁面として好適な、吸音性能を有する装飾壁面材を提供する。【解決手段】任意の絵柄又は写真が表現されて人目に晒される第１層１と、第１層１の内側に配置されて第１層１を支持する第２層２と、第２層２の内側に配置される断熱・吸音材製の第３層７とから成り、第１層１にはその全面に亘り又は部分的に、孔径０．５〜１ｍｍの吸音孔４が穿設され、また、第２層２には吸音孔４に連通する通音孔４ａが形成され、以て、吸音孔４に吸収された音が、通音孔４ａを経て第３層３に導入されることで消音される。【選択図】図３
2015218476.tif 000002
【特許請求の範囲】
【請求項１】
任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音されることを特徴とする吸音性能を有する装飾壁面材。
【請求項２】
前記第１層の絵柄表現部分又は写真表現部分を囲むように額縁が配置される、請求項１に記載の吸音性能を有する装飾壁面材。
【請求項３】
前記第１層の絵柄表現部分又は写真表現部分を囲むように額縁が表現される、請求項１に記載の吸音性能を有する装飾壁面材。
【請求項４】
前記額縁は立体視描画法で表現される、請求項３に記載の吸音性能を有する装飾壁面材。
【請求項５】
前記第１層は、任意の絵柄又は写真が表現され、全面に亘り又は部分的に孔径０．５〜１ｍｍの吸音孔が穿設された樹脂製化粧フィルムである、請求項１乃至４のいずれかに記載の吸音性能を有する装飾壁面材。
【請求項６】
前記第１層は、任意の絵柄又は写真が表現された樹脂製化粧フィルムであり、前記第２層は薄手のメタルプレートであり、前記化粧フィルムと前記メタルプレートの全面に亘り又は部分的に、互いに連通する孔径０．５〜１ｍｍの吸音孔並びに通音孔が穿設される、請求項１乃至４のいずれかに記載の吸音性能を有する装飾壁面材。
【請求項７】
前記第２層は、前記メタルプレートに更に補強層を定着したものであり、前記補強層は前記メタルプレートの通音孔に連通するより大径の通音孔を有する、請求項６に記載の装飾壁面材。
【請求項８】
前記補強層は、前記大径の通音孔を有する多孔性硬質不燃性ボード又はハニカム構造材である、請求項７に記載の吸音性能を有する装飾壁面材。
【請求項９】
前記第１層は、任意の絵柄又は写真が表現されたターポリンであり、前記第２層は多孔性メタルプレート又は多孔性硬質不燃性ボードである、請求項１乃至４のいずれかに記載の吸音性能を有する装飾壁面材。
【請求項１０】
任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音される装飾壁面材を額装して成る、吸音性能を有する装飾壁面材。
【発明の詳細な説明】
【技術分野】
【０００１】
本発明は吸音性能を有する装飾壁の施工方法に関するものであり、より詳細には、コンサートホール、公共施設、学校、病院、図書館、会社の会議室、一般住宅等の壁面として好適な、見栄えがよく且つ吸音性能に優れた吸音性能を有する装飾壁の施工方法に関するものである。
【背景技術】
【０００２】
オフィスビルのホール、コンサートホール、公共施設、学校、病院、図書館等の静粛が要請される施設の壁面は、吸音性能を有していることが望まれる。そのために壁面に用いられる吸音板としては、一般に、表面に多数の吸音孔を穿設した多孔性ボードが知られており、広く用いられている。
【０００３】
しかるに、内壁用パネルとして多く用いられている石膏ボードやけい酸カルシウムボード等の無機質系ボード、あるいは、無垢材や化粧合板等の木質系ボード等のボードに、その表面化粧層を通して多数の吸音孔を穿設する場合、これらのボードに形成し得る孔径には限度があるため、目立たないレベルに小径化することは困難である。
【０００４】
そのため、折角印刷等により表面化粧層を見栄え良く仕上げても、各孔の内側面だけでなく、各孔を通して石膏ボードやけい酸カルシウムボード等の明色部分が露見して目に付いてしまうため、全体的に見た目が悪いものとなってしまうおそれがある。また、孔内に埃がたまりやすく不衛生であり、更に、基本が木製資材であるために傷付きやすいという問題がある。
【先行技術文献】
【特許文献】
【０００５】
【特許文献１】特開２００６−１６１２２１号公報
【特許文献２】特開２００３−２３２０１５号公報
【特許文献３】特許第２９２３９２３号公報
【発明の概要】
【発明が解決しようとする課題】
【０００６】
上述したように、内壁用パネルとして多く用いられている無機質系ボードや木質系ボード等を、吸音性を持たせるために表面化粧層から多孔化しようとすると、これらのボードに形成し得る孔径に限度があって、目立たないレベルに小径化することは困難であるため、各孔が目障りとなって外観を損ねるおそれがあるが、従来は、吸音の点に重きが置かれていて、デザイン性は二の次とされ、更にそれ以上に装飾性を持たせることには思い及んでいなかった。
【０００７】
そこで本発明は、装飾性に富んでいて見栄えがよく、しかも、吸音性能に優れていて、オフィスビルのホール、コンサートホール、公共施設、学校、病院、図書館等の静粛が要請される施設の壁面として好適な、吸音性能を有する装飾壁を構成するための装飾壁面材を提供することを課題とする。
【課題を解決するための手段】
【０００８】
上記課題を解決するための請求項１に記載の発明は、任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音されることを特徴とする吸音性能を有する装飾壁面材である。
【０００９】
一実施形態においては、前記第１層の絵柄表現部分又は写真表現部分を囲むように額縁が配置され、あるいは、前記第１層の絵柄表現部分又は写真表現部分を囲むように額縁が表現される。後者の場合、前記額縁は立体視描画法で表現することが好ましい。
【００１０】
一実施形態においては、前記第１層は、任意の絵柄又は写真が表現され、全面に亘り又は部分的に孔径０．５〜１ｍｍの吸音孔が穿設された樹脂製化粧フィルムとされ、更に、前記第１層は、任意の絵柄又は写真が表現された樹脂製化粧フィルムであり、前記第２層は薄手のメタルプレートであり、前記化粧フィルムと前記メタルプレートの全面に亘り又は部分的に、互いに連通する孔径０．５〜１ｍｍの吸音孔並びに通音孔が穿設されることもある。
【００１１】
一実施形態においては、前記第２層は、前記メタルプレートに更に補強層を定着したものとされ、前記補強層は前記メタルプレートの通音孔に連通するより大径の通音孔を有するものとされる。前記補強層は、前記大径の通音孔を有する多孔性硬質不燃性ボード又はハニカム構造材とされる。
【００１２】
また、一実施形態においては、前記第１層は、任意の絵柄又は写真が表現されたターポリンであり、前記第２層は多孔性メタルプレート又は多孔性硬質不燃性ボードとされる。
【００１３】
また、上記課題を解決するための請求項１０に記載の発明は、任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音される装飾壁面材を額装して成る、吸音性能を有する装飾壁面材である。
【発明の効果】
【００１４】
上述したように、本発明に係る吸音性能を有する装飾壁面材は、任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音されることを特徴とするものであり、これが壁面全面に亘り、あるいは、その一部に設置されることにより、恰も絵画等が壁面に描かれ、あるいは、額装された絵画等が壁面に飾られているような外観を呈するので、従来にない装飾性に富んだ見栄えの良い壁面を構築し得る効果がある。
【００１５】
また、第１層から第２層にかけて穿設される吸音孔並びに通音孔は、孔径が０．５〜１ｍｍであって、壁面に配置された場合には殆ど視認不可状態となるので、その存在によって第１層に表現された絵柄や写真の見た目が損なわれることがなく、しかも、室内の騒音、雑音は無数の吸音孔から吸収され、その内側の断熱・吸音材に取り込まれて消音されるので、本発明に係る装飾壁面材は、特に、コンサートホール、公共施設、学校、病院、図書館、会社の会議室その他、消音が必要な施設の壁面の施工に用いるのに好適である。
【図面の簡単な説明】
【００１６】
【図１】本発明に係る吸音性能を有する装飾壁面材を用いて施工した装飾壁の例を示す図である。
【図２】本発明に係る吸音性能を有する装飾壁面材を用いて施工した装飾壁の別例を示す図である。
【図３】本発明に係る吸音性能を有する装飾壁面材の構成例を示す中間省略斜視図である。
【図４】図３に示す装飾壁面材の施工方法を示す中間省略斜視図である。
【図５】本発明に係る吸音性能を有する装飾壁面材の他の構成例を示す部分破断斜視図である。
【図６】本発明に係る吸音性能を有する装飾壁面材の更に他の構成例を示す部分破断斜視図である。
【発明を実施するための形態】
【００１７】
以下に、本発明を実施するための種々の形態につき、添付図面を参照しつつ詳細に説明する。本発明に係る吸音性能を有する装飾壁面材Ａは、任意の絵柄又は写真が表現されて人目に晒される第１層と、前記第１層の内側に配置されて前記第１層を支持する第２層と、前記第２層の内側に配置される断熱・吸音材製の第３層とから成り、前記第１層はその全面又は一部が吸音可能であり、前記第２層には前記第１層において吸収された音を通して前記第３層に導く通音孔が形成され、前記通音孔を経て前記第３層に導入された音が前記第３層において消音されることを特徴とするものである。
【００１８】
一実施形態においては、第１層は任意の絵柄又は写真を印刷した樹脂製化粧フィルム２とされ、第２層は薄手のメタルプレート３とされ、化粧フィルム２とメタルプレート３が合着されて基板１が形成される（図３参照）。通例、基板１には、各辺を立ち上げて囲壁５、５ａが形成され、囲壁５、５ａの内側に、囲壁５、５ａと同じかそれ以上の高さの、第３層である断熱・吸音材７が装填される。
【００１９】
表層となる、換言すれば、人目に晒されることになる化粧フィルム２は、絵柄や写真の印刷が可能なものである。この化粧フィルム２としては、例えば、グラビア印刷可能な、厚さ０．１７ｍｍ以下の塩化ビニル樹脂系フィルムが用いられる。この化粧フィルム２が、アクリル樹脂系粘着剤等の粘着層１０を介してメタルプレート３に合着される。メタルプレート３としては、例えば、厚さ０．６ｍｍ程度の薄手のアルミニウム合金板が用いられる。
【００２０】
化粧フィルム２とメタルプレート３には、それぞれ互いに連通し合うピンホールである吸音孔４、通音孔４ａがその全面に亘り、あるいは、部分的（例えば、絵柄印刷部分）に穿設される。各吸音孔４、通音孔４ａは、化粧フィルム２とメタルプレート３の合着前にそれぞれに透設しておき、吸音孔４と通音孔４ａとを合わせて合着することとしてもよいが、合着後に化粧フィルム２からメタルプレート３にかけて穿孔する方法の方が効率的である。
【００２１】
なお、吸音孔４並びに通音孔４ａは、目立たないサイズ、即ち、０．５〜１ｍｍ程度のピンホールであって、定間隔（例えば、４ｍｍ）置きに又はランダムに穿設される。孔径がこのレベルであると、壁面に配設された場合、その表面に施される絵柄や写真等に関係なく、ほとんど視認することができないものとなり、また、吸音孔４の存在によって絵柄や写真のイメージが変わってしまうようなこともない。なお、添付図面においては、吸音孔４並びに通音孔４ａは、その存在を明確にするために、実際の場合よりも誇張して大きく表示してある。
【００２２】
断熱・吸音材７は、グラスウール（ロックウール）、発泡樹脂等の厚みが２５ｍｍ程度の長尺成型体で、囲壁５、５ａの内側に密に収められて接着固定される。
【００２３】
また、他の実施形態における第２層は、メタルプレート３に補強材が付加されたものとされる。補強材としては、多孔性の硬質不燃性ボード８（図５参照）、あるいは、ハニカム構造板９（図６参照）が用いられる。硬質不燃性ボード８は、不燃性、準不燃性又は難燃性の下地材であって、例えば、ＭＤＦ（中密度繊維板）、パーティクルボード、石膏板、けい酸カルシウム板等で構成され、通例１０〜２０ｍｍ程度の厚さにされる。この硬質不燃性ボード８には、吸音孔４並びに通音孔４ａと連通する大径孔８ａが穿設される。なお、上記ハニカム構造板９には、各孔９ａが六角形のものに限らず、図６に示すような、孔９ａが円形状のものも含まれる。
【００２４】
好ましい実施形態においては、化粧フィルム２の絵柄１１部分又は写真部分を囲むように、額縁１２（木枠、プラスチック枠又は金属枠のみ）が固定される。そのようにした場合は、その絵柄１１部分又は写真部分が額縁１２より外の部分と分離され、恰もその絵柄１１部分又は写真部分が額縁１２内に収まった作品のように見える。即ち、額装した絵又は写真が壁面Ｃに飾られているような外観を呈するのであり、それは、一般の壁面として何らの違和感も感じさせないものとなる（図２参照）。また、装飾壁面材Ａを既存の額縁内に収め、これを一般の絵画等と同様にして壁面Ｃに掛けることとしてもよい。
【００２５】
更に、本物の額縁１２を取り付け、あるいは、額装する代わりに、化粧フィルム２に額縁をその絵柄や写真と共に印刷する態様もある。その場合、通常の印刷であると額縁は平面的に見えてしまうので、所謂トリックアート等において用いられている立体視画法を用いて印刷することが好ましい。その場合は、見る角度によって、本物の額縁入り絵画又は写真と視認させることが可能となる。
【００２６】
本発明に係る装飾壁面材Ａは、壁面全体に施工される場合とその一部に施工される場合とがあり、広面積に亘る場合は複数の装飾壁面材Ａが並設されることになる。その場合、絵柄や写真が複数の装飾壁面材Ａに跨ることがあるので、隣り合う装飾壁面材Ａの絵柄や写真同士が連続するように位置調整する必要があり、また、隣り合う装飾壁面材Ａとの間に隙間ができないように密に配置していく必要がある。装飾壁面材Ａの壁面への設置は、例えば、断熱・吸音材７を、常法により先行設置した下地材１５に、室内側から接着固定していく方法が簡便である（図４参照）。
【００２７】
以上いずれの実施形態の場合においても、人目に晒される表層を構成する化粧フィルム２には、予め任意の絵柄又は写真が印刷されるが、絵柄又は写真が異なる種々のものを用意しておくことで、用途、好み等に合わせて任意に選択することができるだけでなく、その都度所望の絵柄や写真を印刷して用いることも可能であるため、多品種小ロット施工に適するものとなる。
【００２８】
また、化粧フィルム２に穿設される吸音孔４は孔径が０．５ｍｍ前後であって、近距離においても熟視しないと視認できないため、吸音孔４の存在によって絵柄又は写真の見た目が損なわれたりすることは皆無ということができる。更に、吸音孔４並びに通音孔４ａは、微小孔であるために埃が溜まりにくく、衛生的なものとなるという副次的効果もある。
【００２９】
この化粧フィルム２はメタルプレート３に張着され、更に、硬質不燃性ボード８等によって裏打ちされるため、十分な表面強度が得られ、且つ、十分な保形力が確保され、更には不燃性が付与されることになるが、メタルプレート３を省略し、化粧フィルム２を直接硬質不燃性ボード８に定着する構成も可能である。
【００３０】
更に、第１層を、任意の絵柄又は写真が表現されたターポリンとする構成も可能である。ターポリンは横断幕等に多用されている素材で、それ自体ある程度の吸音性を有するが、化粧フィルム２に穿設される吸音孔４と同様の微細孔を、その全面に亘り又は部分的に穿設することとしてもよい。また、その場合は、第２層として多孔性メタルプレート又は多孔性硬質不燃性ボードを用いる。
【００３１】
壁面を上記本発明に係る装飾壁面材Ａを用いて施工した室内においては、室内の騒音、雑音が無数の吸音孔４、通音孔４ａから吸収され、断熱・吸音材７に取り込まれて消音される。従って、本発明に係る装飾壁面材Ａは、特にコンサートホール、公共施設、学校、病院、図書館、会社の会議室その他、静寂性が求められる室内の壁面の構築用資材として好適なものとなる。
【００３２】
この発明をある程度詳細にその最も好ましい実施形態について説明してきたが、この発明の精神と範囲に反することなしに更に異なる実施形態を構成することができることは言うまでもない。例えば、第１層を構成する素材は上述したものに限らず、絵柄や写真の表現が可能で、それ自体吸音性を有し、あるいは、微細孔の穿設が可能な任意の樹脂製、繊維製等の素材を用いることが可能である。従って、この発明は、添付請求の範囲において限定した以外はその特定の実施形態に制約されるものではない。
【符号の説明】
【００３３】
Ａ、Ｂ    装飾壁面材  
Ｃ      壁面
１      基板
２      化粧フィルム
３      メタルプレート
４      吸音孔
４ａ    通音孔
５、５ａ  囲壁
７      断熱・吸音材
８      硬質不燃性ボード
８ａ    大径通音孔
９      ハニカム構造板
９ａ    孔
１１    絵柄
１２    額縁
【図１】
2015218476.tif 000003
【図２】
2015218476.tif 000004
【図３】
2015218476.tif 000005
【図４】
2015218476.tif 000006
【図５】
2015218476.tif 000007
【図６】
2015218476.tif 000008
【手続補正書】
【提出日】平成27年2月27日(2015.2.27)
【手続補正２】
【補正対象書類名】明細書
【補正対象項目名】０００１
【補正方法】変更
【補正の内容】
【０００１】
本発明は吸音性能を有する装飾壁面材に関するものであり、より詳細には、コンサートホール、公共施設、学校、病院、図書館、会社の会議室、一般住宅等の壁面として好適な、見栄えがよく且つ吸音性能に優れた吸音性能を有する装飾壁面材に関するものである。